(57)【要約】      （修正有）【課題】高い封緘強度が得られる包装箱を提供する。【解決手段】第１フラップ２４Ａ，第３フラップ２４Ｃを先端が重なり合う寸法で形成するとともに、第２フラップ２４Ｂ，第４フラップ２４Ｄを先端間に隙間を有する寸法で形成し、第１フラップ２４Ａに一対の切込部２６，２６を設け、切込部２６，２６の間に外側係止片２７を形成するとともに両側に内側係止片２８，２８を形成し、第３フラップ２４Ｃに差込部３０を設けるとともに、被挿入部３１を設け、第４フラップ２４Ｄにスリット３４を設け、スリット３４の両側に、被挿入部３１に挿入される挿入部と、第３フラップ２４Ｃの外面側に位置する押圧部３６とを設け、第１フラップ２４Ａから第４フラップ２４Ｃを順番に折り曲げ、挿入部を被挿入部３１に挿入した後、第１フラップ２４Ａの外側係止片２７を第３フラップ２４Ｃの外面側に重畳させる。【選択図】図１
2008308220.tif 000002
【特許請求の範囲】
【請求項１】
４方を囲繞する壁面の上端または下端に、それぞれ第１、第２、第３および第４のフラップを連設し、これらを第１フラップから第４フラップまで順番に折り曲げて蓋をする包装箱において、
前記フラップのうち、対向する第１フラップおよび第３フラップを互いの先端が重なり合う寸法で形成するとともに、他の対向する第２フラップおよび第４フラップを互いの先端間に所定の隙間を有する寸法で形成し、かつ、
前記第１フラップに、その先端縁から連続する壁面に向けて延びる一対の切込部を設け、これら切込部の間に外側係止片を形成するとともに両側に内側係止片を形成し、
前記第３フラップに、その先端縁から連続する壁面に向けて延び前記第１フラップの外側係止片の先端縁を操作可能な差込部を設けるとともに、隣接する第４フラップの側に位置するように先端縁から連続する壁面に向けて延びる被挿入部を設け、
前記第４フラップに、その先端縁から連続する壁面に向けて延びるスリットを設け、該スリットの両側に、前記被挿入部から第３フラップの内面側に挿入される挿入部と、前記第３フラップの外面側に位置する押圧部とを設け、
前記第１フラップから第３フラップを順番に折り曲げ、前記挿入部を第３フラップの被挿入部から該第３フラップの内面側に挿入するように前記第４フラップを折り曲げた後、前記第３フラップの差込部から第１フラップの外側係止片の先端縁を操作して該外側係止片を第３フラップの外面側に重畳させることにより、蓋をする構成とした包装箱。
【請求項２】
４方を囲繞する壁面の上端または下端に、第１、第２、第３および第４のフラップを連設した包装箱において、
前記フラップのうち、対向する第１フラップおよび第３フラップを互いの先端が重なり合う寸法で形成するとともに、他の対向する第２フラップおよび第４フラップを互いの先端間に所定の隙間を有する寸法で形成し、かつ、
前記第１フラップに、その先端縁から連続する壁面に向けて延びる一対の切込部を設け、これら切込部の間に外側係止片を形成するとともに両側に内側係止片を形成し、
前記第３フラップに、その先端縁から連続する壁面に向けて延び前記第１フラップの外側係止片の先端縁を操作可能な差込部を設け、
前記第２フラップおよび第４フラップの内側に位置するように第１フラップを折り曲げるとともに、該第１フラップの外側に位置するように第３フラップを折り曲げた状態で、前記第３フラップの差込部から第１フラップの外側係止片の先端縁を操作して該外側係止片を第３フラップの外面側に重畳させることにより、蓋をする構成とした包装箱。
【発明の詳細な説明】
【技術分野】
【０００１】
本発明は、ホットメルトやテープ止めなどの固着をすることなく蓋をする包装箱に関するものである。
【背景技術】
【０００２】
本発明は、４方を囲繞する壁面の各端縁に、蓋を構成するフラップが連設され、これらフラップを固着することなく封緘するもので、この種の包装箱に関連する先行技術文献情報としては次のものがある。
【０００３】
【特許文献１】特開２００３−２３１５１９号公報
【０００４】
この特許文献には、第１フラップから第４フラップを順番に折り曲げ、第４フラップの挿入部を第１フラップの被挿入部から内面側に挿入することにより、隣接するフラップがそれぞれ上下に重畳するように噛み合わせて蓋をする構成とした包装箱が記載されている。また、この特許文献には、対向する第１および第３フラップを折り曲げた後に、隣接する第２および第４フラップを折り曲げ、第２および第４フラップの挿入部を第１フラップの被挿入部から内面側に挿入することにより蓋をする構成とした第２の包装箱も記載されている。
【０００５】
この特許文献の包装箱は、固着手段を用いることなく、確実に封緘するという目的を十分に達成できる。しかしながら、この封緘面を包装箱の底に用い、包装箱内に重い商品を収容させた場合に、封緘状態を維持できない場合がある。
【発明の開示】
【発明が解決しようとする課題】
【０００６】
本発明は、従来の問題に鑑みてなされたもので、高い封緘強度が得られる包装箱を提供することを課題とするものである。
【課題を解決するための手段】
【０００７】
前記課題を解決するため、本発明の第１の包装箱は、４方を囲繞する壁面の上端または下端に、それぞれ第１、第２、第３および第４のフラップを連設し、これらを第１フラップから第４フラップまで順番に折り曲げて蓋をする包装箱において、前記フラップのうち、対向する第１フラップおよび第３フラップを互いの先端が重なり合う寸法で形成するとともに、他の対向する第２フラップおよび第４フラップを互いの先端間に所定の隙間を有する寸法で形成し、かつ、前記第１フラップに、その先端縁から連続する壁面に向けて延びる一対の切込部を設け、これら切込部の間に外側係止片を形成するとともに両側に内側係止片を形成し、前記第３フラップに、その先端縁から連続する壁面に向けて延び前記第１フラップの外側係止片の先端縁を操作可能な差込部を設けるとともに、隣接する第４フラップの側に位置するように先端縁から連続する壁面に向けて延びる被挿入部を設け、前記第４フラップに、その先端縁から連続する壁面に向けて延びるスリットを設け、該スリットの両側に、前記被挿入部から第３フラップの内面側に挿入される挿入部と、前記第３フラップの外面側に位置する押圧部とを設け、前記第１フラップから第３フラップを順番に折り曲げ、前記挿入部を第３フラップの被挿入部から該第３フラップの内面側に挿入するように前記第４フラップを折り曲げた後、前記第３フラップの差込部から第１フラップの外側係止片の先端縁を操作して該外側係止片を第３フラップの外面側に重畳させることにより、蓋をする構成としている。
【０００８】
また、本発明の第２の包装箱は、４方を囲繞する壁面の上端または下端に、第１、第２、第３および第４のフラップを連設した包装箱において、前記フラップのうち、対向する第１フラップおよび第３フラップを互いの先端が重なり合う寸法で形成するとともに、他の対向する第２フラップおよび第４フラップを互いの先端間に所定の隙間を有する寸法で形成し、かつ、前記第１フラップに、その先端縁から連続する壁面に向けて延びる一対の切込部を設け、これら切込部の間に外側係止片を形成するとともに両側に内側係止片を形成し、前記第３フラップに、その先端縁から連続する壁面に向けて延び前記第１フラップの外側係止片の先端縁を操作可能な差込部を設け、前記第２フラップおよび第４フラップの内側に位置するように第１フラップを折り曲げるとともに、該第１フラップの外側に位置するように第３フラップを折り曲げた状態で、前記第３フラップの差込部から第１フラップの外側係止片の先端縁を操作して該外側係止片を第３フラップの外面側に重畳させることにより、蓋をする構成としている。
【０００９】
これらの包装箱は、第３フラップが最も内側に位置する第１フラップの外側係止片で外面が支持される。また、第１フラップは、内側係止片が第２および第４フラップを介して第３フラップの内面側を支持する。そのため、包装箱は、内側から外側、または、その逆方向への両方に力に十分耐え得る強度で蓋をすることができる。
【発明の効果】
【００１０】
本発明の包装箱では、ホットメルトやテープ止めなどの固着作業をすることなく、高い封緘強度で蓋をすることができる。よって、このフラップ構造からなる蓋を包装箱の底に適用した場合には、内部に重い商品を収容させても底が抜けることはない。
【発明を実施するための最良の形態】
【００１１】
以下、本発明の実施の形態を図面に従って説明する。
【００１２】
図１は、本発明の実施形態に係る包装箱を示す。この包装箱は、ホットメルトやテープ止めなどの固着をすることなく蓋をする通い方式の輸送箱として使用されるものである。この包装箱は、例えば、図示しない紙器打抜装置によって段ボール紙を図６に示す連続した一枚のブランクとして打ち抜き、所定位置を折り曲げるとともに貼着することにより形成される。なお、段ボール紙は、一対の表紙と裏紙との間に波状に連続する中しんを設けた周知のものである。
【００１３】
この包装箱のブランクは、図６に示すように、側壁を構成する幅が広い一対の壁面１０Ａ，１０Ｃと、端壁を構成する幅が狭い一対の壁面１０Ｂ，１０Ｄとを備え、これらが横方向に連続するように設けられている。なお、本実施形態では、以下で説明する第１から第４の下側フラップ２４Ａ〜２４Ｄの折曲順番の関係で、図中、左側から第１の壁面１０Ａ、第４の壁面１０Ｄ、第３の壁面１０Ｃ、第２の壁面１０Ｂと称する。
【００１４】
前記壁面１０Ａ〜１０Ｄのうち、左側端に位置する第１の壁面１０Ａには、逆の右側端に位置する第２の壁面１０Ｂの縁に貼着するための糊代部１１が連設されている。そして、これら壁面１０Ａ〜１０Ｄおよび糊代部１１の各境界部分には、肉厚を圧縮するように罫を入れて形成した折曲線１２が設けられている。なお、本実施形態の糊代部１１は、後述する上側フラップ１３Ｂおよび下側フラップ２４Ｂに貼着される突片部１１ａ，１１ｂを備えている。
【００１５】
前記壁面１０Ａ〜１０Ｄの上端縁には、上蓋を構成する上側フラップ１３Ａ〜１３Ｄが連設されている。そして、これら各壁面１０Ａ〜１０Ｄと上側フラップ１３Ａ〜１３Ｄおよび糊代部１１と突片部１１ａとの境界部分には、前記と同様の折曲線１４が設けられている。
【００１６】
そのうち、幅が広い第１および第３の上側フラップ１３Ａ，１３Ｃは、その先端縁間に大きな隙間（開口）が生じるように短い突出寸法で形成されたショートフラップからなる。これら上側フラップ１３Ａ，１３Ｃの両側部には、組立状態で隣接する上側フラップ１３Ｂ，１３Ｄに巻き込まれる突出部１５がそれぞれ突設されている。これら上側フラップ１３Ａ，１３Ｃの突出部１５，１５は、組立状態で対向する上側フラップ１３Ｃ，１３Ａの突出部１５と、その先端縁が略突き合う寸法で突出されている。
【００１７】
また、幅が狭い第２および第４の上側フラップ１３Ｂ，１３Ｄは、突出部１５の横方向の幅より若干大きい突出寸法で形成されたショートフラップからなる。この上側フラップ１３Ｂ，１３Ｄには、組立状態で第１および第３の上側フラップ１３Ａ，１３Ｃの内面側に略Ｕ字形状をなすように折り返して係止する折返係止部１６が連設されている。この折返係止部１６と上側フラップ１３Ｂ，１３Ｄとの境界部分には、折曲線１４に対して直交方向に延びる一対の第１切断線１７，１７と、これら第１切断線１７，１７の中央から折曲線１４と平行に延びる一対の第２切断線１８，１８とが設けられている。また、第１切断線１７，１７の両端間には、一対の第１折曲線１９，１９が設けられるとともに、その中央に第１切断線１７と平行に延びる第３切断線２０が設けられている。さらに、折返係止部１６には、第１切断線１７，１７の端部から同一直線上に延びる第２折曲線２１が設けられている。この折返係止部１６は、一対の第２折曲線２１，２１により中央の折返部２２と両側の係止部２３とに区画されている。なお、一対の第１切断線１７，１７間の幅は、突出部１５の突出寸法の約２倍とされている。
【００１８】
一方、前記壁面１０Ａ〜１０Ｄの下端縁には、下蓋を構成する下側フラップ２４Ａ〜２４Ｄが連設されている。そして、これら各壁面１０Ａ〜１０Ｄと下側フラップ２４Ａ〜２４Ｄおよび糊代部１１と突片部１１ｂとの境界部分には折曲線２５が設けられている。そのうち、対向する幅が広い第１および第３の下側フラップ２４Ａ，２４Ｃは、互いの先端が重なり合う寸法で形成されている。また、他の対向する幅が狭い第２および第４の下側フラップ２４Ｂ，２４Ｄは、下側フラップ２４Ａ，２４Ｃと同一の突出寸法をなし、互いの先端間に所定の隙間を有する寸法で形成されている。
【００１９】
包装箱の底を閉塞する際に１番目に折り曲げられる第１の下側フラップ２４Ａには、その先端縁から連続する壁面１０Ａに向けて略直角三角形状をなすように延びる一対の切込部２６，２６が設けられている。この切込部２６の切込寸法は、対向する第３の下側フラップ２４Ｃとの重畳寸法より若干大きく切り込まれている。また、これら切込部２６は、組立状態で隣接する第２および第４の下側フラップ２４Ｂ，２４Ｄの先端縁に位置するように形成されている。これにより、一対の切込部２６，２６の間には、組立状態で第２および第４の下側フラップ２４Ｂ，２４Ｄの先端縁間に位置し、第３の下側フラップ２４Ｃの外面に係止される外側係止片２７が形成される。また、切込部２６，２６の両側には、第３の下側フラップ２４Ｃの内面側に位置する第２および第４の下側フラップ２４Ｂ，２４Ｄの更に内面に係止される一対の内側係止片２８，２８が形成される。
【００２０】
底を閉塞する際に２番目に折り曲げられる第２の下側フラップ２４Ｂには、第１の下側フラップ２４Ａの上面に重畳される先端角部に円弧状の面取部２９が設けられている。
【００２１】
底を閉塞する際に３番目に折り曲げられる第３の下側フラップ２４Ｃには、その幅方向の中央に先端縁から連続する壁面１０Ｃに向けて延びる略Ｕ字形状の切り欠きからなる差込部３０が設けられている。この差込部３０は、先端縁からの切込量を、組立状態で重畳する第１の下側フラップ２４Ａ（外側係止片２７）の先端縁が露出し、隙間から指を差し込んで操作が可能な寸法で形成している。また、この下側フラップ２４Ｃには、隣接する第４の下側フラップ２４Ｄの側に位置するように被挿入部３１が設けられている。この被挿入部３１は、先端縁から連続する壁面１０Ｃに向けて、若干中央（第２の下側フラップ２４Ｂの側）へ傾斜して延びる略Ｕ字形状の切り欠きにより構成されている。また、下側フラップ２４Ｃには、被挿入部３１の端部から、該下側フラップ２４Ｃと壁面１０Ｃとの境界である折曲線２５における第４の下側フラップ２４Ｄの側の端部に向けて延びる折曲線３２が設けられている。さらに、この下側フラップ２４Ｃには、第２の下側フラップ２４Ｂの上面に重畳される先端角部に円弧状の面取部３３が設けられている。
【００２２】
底を閉塞する際に４番目（最後）に折り曲げられる第４の下側フラップ２４Ｄには、第３の下側フラップ２４Ｃの側の縁から所定間隔をもってスリット３４が設けられている。このスリット３４は、先端縁から連続する壁面１０Ｄに向けて、若干中央（第１の下側フラップ２４Ａの側）へ傾斜して延びる略Ｕ字形状の切り欠きにより構成されている。そして、第４の下側フラップ２４Ｄでは、図６において、スリット３４の左側が被挿入部３１から第３の下側フラップ２４Ｃの内面側に挿入される挿入部３５を構成し、右側が第３の下側フラップ２４Ｃの外面側に位置する押圧部３６を構成する。また、この第４の下側フラップ２４Ｄには、前記スリット３４の端部と折曲線２５との間に位置するように、幅方向に延びる挿入作業用折曲線３７が設けられている。さらに、この下側フラップ２４Ｄには、第１の下側フラップ２４Ａの上面に重畳される先端角部に円弧状の面取部３８が設けられている。
【００２３】
前記ブランクは、突片部１１ａ，１１ｂを含む糊代部１１に酢酸ビニルエマルジョン系などの接着剤を塗布した後、第４の壁面１０Ｄに対して第１の壁面１０Ａを折り曲げ、第３の壁面１０Ｃに対して第２の壁面１０Ｂを折り曲げる。そして、糊代部１１と第２の壁面１０Ｂの端部をプレスして糊付けし、この状態で所定のメーカに納品される。
【００２４】
ユーザが包装箱を組み立てる際には、各壁面１０Ａ〜１０Ｄによって矩形状をなすように広げた後、上下を逆向きとする。そして、図２に示すように、まず、第１の下側フラップ２４Ａを壁面１０Ａに対して折り曲げ、第２の下側フラップ２４Ｂを壁面１０Ｂに対して折り曲げた後、第３の下側フラップ２４Ｃを壁面１０Ｃに対して折り曲げる。これにより、第１の下側フラップ２４Ａの一側外面に第２の下側フラップ２４Ｂが重畳し、この下側フラップ２４Ｂの逆側の外面に第３の下側フラップ２４Ｃが重畳する。
【００２５】
その後、第４の下側フラップ２４Ｄを壁面１０Ｄに対して折り曲げる。この際、図３に示すように、該下側フラップ２４Ｄを挿入作業用折曲線３７に沿って内向きに折り曲げ、第３の下側フラップ２４Ｃの被挿入部３１から、該下側フラップ２４Ｃの内面側に挿入部３５を挿入する。この際、本実施形態では、被挿入部３１の端部に折曲線３２を設けているため、この折曲線３２に沿って第３の下側フラップ２４Ｃが折れ曲がることにより、連続する側端が一緒に浮き上がることを防止できる。その結果、被挿入部３１の縁を大きく浮き上げることができるため、挿入作業性を向上できる。
【００２６】
そして、図示のように挿入部３５を被挿入部３１から内面側に挿入すると、折り曲げた挿入作業用折曲線３７の頂部を下向きに押圧する。これにより、図４に示すように、第４の下側フラップ２４Ｄは、第１の下側フラップ２４Ａの側が該下側フラップ２４Ａの外面に重畳する。また、挿入部３５は、第３の下側フラップ２４Ｃの内面に完全に挿入される。さらに、押圧部３６は、第３の下側フラップ２４Ｃの外面に重畳する。
【００２７】
最後に、第３の下側フラップ２４Ｃの差込部３０から内部に指を差し込み、内面側に位置する第１の下側フラップ２４Ａの外側係止片２７の先端縁に指を引っ掛ける。そして、この外側係止片２７の先端縁を操作して外側に引っ張り、図１に示すように、第３の下側フラップ２４Ｃの外面側に重畳させる。
【００２８】
これにより、第３の下側フラップ２４Ｃは、最も内側に位置する第１の下側フラップ２４Ａの外側係止片２７で外面が支持される。また、第１の下側フラップ２４Ａは、内側係止片２８が第２および第４の下側フラップ２４Ｂ，２４Ｄを介して第３の下側フラップ２４Ｃの内面側を支持している。即ち、第３の下側フラップ２４Ｃは、第１の下側フラップ２４Ａで内面側と外面側の両方が挟み込まれた状態で支持される。そのため、包装箱の底は、内側から外側、または、その逆方向への両方に力に十分耐え得る強度で蓋をすることができる。
【００２９】
このようにして包装箱の底を封緘した後、上側フラップ１３Ａ〜１３Ｄの側を上方に位置させる。そして、開放した内部に所定の商品を収容させ、上側フラップ１３Ａ〜１３Ｄにより中央を開放した封緘状態とする。または、上側フラップ１３Ａ〜１３Ｄにより中央を開放した封緘状態とした後、その開放部分から内部に所定の商品を収容させる。
【００３０】
この上側フラップ１３Ａ〜１３Ｄによる封緘作業は、図５に示すように、まず、対向する一対の第１および第３の上側フラップ１３Ａ，１３Ｃを壁面１０Ａ，１０Ｃに対して折り曲げる。その後、第２および第４の上側フラップ１３Ｂ，１３Ｄを壁面１０Ｂ，１０Ｄに対して折り曲げる。また、上側フラップ１３Ｂ，１３Ｄに対して折返係止部１６を折り曲げるとともに、該折返係止部１６の折返部２２に対して係止部２３が折込方向逆向きに位置するように折り曲げる。そして、折返係止部１６を第１および第３の上側フラップ１３Ａ，１３Ｃの突出部１５，１５内面側に位置するまで折り返すと、折返部２２に対して係止部２３を弾性により平坦に位置させることにより、上側フラップ１３Ａ，１３Ｃの内面に係止する。
【００３１】
このように、本実施形態の包装箱では、第１の下側フラップ２４Ａから第４の下側フラップ２４Ｄを順番に折り曲げた後、第３の下側フラップ２４Ｃの被挿入部３１に第４の下側フラップ２４Ｄの挿入部３５を挿入する。その後、第１の下側フラップ２４Ａの外側係止片２７を第３の下側フラップ２４Ｃの外面に係止させることにより、ホットメルトやテープ止めなどの固着作業をすることなく、強固に蓋をすることができる。よって、内部に重い商品を収容させても底が抜けることはない。
【００３２】
なお、本発明の包装箱は、前記実施形態の構成に限定されるものではなく、種々の変更が可能である。
【００３３】
例えば、第１の下側フラップ２４Ａには、図７に示すように、先端中央から連続する壁面１０Ａに向けて延びる折曲線３９を設けるとともに、この折曲線３９の壁面１０Ａの側に位置する端部から切込部２６，２６に向けて一対の折曲線４０，４０を設けた構成としてもよい。このようにすれば、図４に示す状態から外側係止片２７を操作して、該外側係止片２７を第３の下側フラップ２４Ｃの外面に係止する際に、第１の下側フラップ２４Ａを折曲線３９，４０に沿って折り曲げることが可能になるため、作業性が向上する。
【００３４】
また、前記実施形態では、被挿入部３１を第３の下側フラップ２４Ｃに設けるとともに、スリット３４を設けることにより挿入部３５および押圧部３６を第４の下側フラップ２４Ｄに設けたが、図８および図９に示すように、被挿入部３１を第３の下側フラップ２４Ｃの両側に一対設けるとともに、隣接する第２および第４の下側フラップ２４Ｂ，２４Ｄにそれぞれスリット３４を設けることによる挿入部３５および押圧部３６を設けてもよい。なお、この場合には、第１の下側フラップ２４Ａを折り曲げた後に、第３の下側フラップ２４Ｃを折り曲げる。その後、第２および第４の下側フラップ２４Ｂ，２４Ｄを折り曲げるとともに、被挿入部３１に挿入部３５を挿入させる。最後に、第３の下側フラップ２４Ｃの外面側に位置するように第１の下側フラップ２４Ａの外側係止片２７を操作する。これにより、第２および第４の下側フラップ２４Ｂ，２４Ｄの内側に位置するように第１の下側フラップ２４Ａを折り曲げるとともに、この第１の下側フラップ２４Ａの外側に位置するように第３の下側フラップ２４Ｃを折り曲げた状態で、外側係止片２７を第３の下側フラップ２４Ｃの外面側に重畳させ、蓋をすることができる。
【００３５】
さらに、前記実施形態では、第４の下側フラップ２４Ｄの挿入部３５と押圧部３６とは、突出寸法が一致する構成としたが、押圧部３６の突出寸法を挿入部３５の突出寸法より短くなるように形成してもよい。このようにすれば、被挿入部３１に挿入部３５を挿入する際に、押圧部３６が下側フラップ２４Ｃに干渉して挿入作業の妨げになることを防止できる。
【００３６】
さらにまた、前記実施形態では、本発明のフラップ構造を包装箱の下側を閉塞する下側フラップ２４Ａ〜２４Ｄに適用したが、上側を閉塞する上側フラップ１３Ａ〜１３Ｄに適用してもよい。この場合、包装箱内に商品を収容した状態で、封緘作業を行うことになるが、前記構成によれば、被挿入部３１に対して略水平方向に挿入部３５を挿入して封緘することができるため、内部に収容している商品に干渉し、商品を損傷させることを防止できる。
【図面の簡単な説明】
【００３７】
【図１】本発明の実施形態に係る包装箱の封緘状態を示す斜視図である。
【図２】底側の封緘作業時の一工程を示す斜視図である。
【図３】底側の封緘作業時の他の一工程を示す斜視図である。
【図４】底側の封緘作業時の他の一工程を示す斜視図である。
【図５】上側の封緘作業時の一工程を示す斜視図である。
【図６】包装箱のブランクを示す平面図である。
【図７】包装箱の変形例のブランクを示す平面図である。
【図８】包装箱の他の変形例を示す斜視図である。
【図９】図８の包装箱のブランクを示す平面図である。
【符号の説明】
【００３８】
１０Ａ〜１０Ｄ…壁面
１３Ａ〜１３Ｄ…第１から第４の上側フラップ
２４Ａ〜２４Ｄ…第１から第４の下側フラップ
２６…切込部
２７…外側係止片
２８…内側係止片
３０…差込部
３１…被挿入部
３４…スリット
３５…挿入部
３６…押圧部
【図１】
2008308220.tif 000003
【図２】
2008308220.tif 000004
【図３】
2008308220.tif 000005
【図４】
2008308220.tif 000006
【図５】
2008308220.tif 000007
【図６】
2008308220.tif 000008
【図７】
2008308220.tif 000009
【図８】
2008308220.tif 000010
【図９】
2008308220.tif 000011